(57)【特許請求の範囲】
【請求項１】
交換サーバと、コンテンツへの引換が可能な引換コードへの交換を要求する交換コードをネットワークを介して該交換サーバに送信する通信端末と、を具備し、
前記交換サーバは、
前記通信端末から前記ネットワークを介して送信される前記交換コードを受信したことに応答して、前記引換コードを前記ネットワークを介して前記通信端末に送信する第１引換コード送信手段を備え、
前記通信端末は、
前記第１引換コード送信手段によって送信された前記引換コードを受信する第１引換コード受信手段と、
前記第１引換コード受信手段によって受信した前記引換コードを前記ネットワークを介してコンテンツ提供サーバに送信して、前記コンテンツの提供を該コンテンツ提供サーバに要求することにより、該コンテンツ提供サーバから該コンテンツを取得するコンテンツ取得手段と、
を備えるコンテンツ提供システム。
【請求項２】
前記交換サーバは、
前記通信端末から前記ネットワークを介して送信される前記交換コードを受信したことに応答して、該交換コードが既に前記引換コードに交換されているか否かを判別する交換判別手段を更に備え、
前記第１引換コード送信手段は、
前記交換判別手段によって前記交換コードが未だ前記引換コードに交換されていないと判別した場合、該引換コードを前記ネットワークを介して前記通信端末に送信する、
ことを特徴とする請求項１に記載のコンテンツ提供システム。
【請求項３】
前記コンテンツ提供サーバは、
前記通信端末から前記ネットワークを介して送信される前記引換コードを受信したことに応答して、前記コンテンツが既に提供されているか否かを判別する提供判別手段と、
前記提供判別手段によって前記コンテンツが未だ提供されていないと判別した場合、該コンテンツを前記ネットワークを介して前記通信端末に送信するコンテンツ送信手段と、
を備える、
ことを特徴とする請求項１又は２に記載のコンテンツ提供システム。
【請求項４】
前記交換コードを印刷したレシートを発行するキャッシュレジスタを更に具備し、
前記通信端末は、
商品に付与された二次元コードから前記交換サーバのＵＲＬ（Uniform Resource Locator）を読み取る二次元コード読取手段と、
前記二次元コード読取手段によって読み取った前記交換サーバのＵＲＬにアクセスした後、前記レシートに印刷された前記交換コードが入力されたことに応答して、該交換コードを前記ネットワークを介して前記交換サーバに送信する第１交換コード送信手段と、
を更に備える、
ことを特徴とする請求項１乃至３のいずれか１項に記載のコンテンツ提供システム。
【請求項５】
前記キャッシュレジスタからＬＡＮ（Local Area Network）を介して送信される前記商品を特定可能な商品コードを受信したことに応答して、前記交換コードを該ＬＡＮを介して該キャッシュレジスタに送信する店舗サーバを更に具備し、
前記キャッシュレジスタは、
前記商品に付与されたバーコードから前記商品コードを読み取るバーコード読取手段と、
前記バーコード読取手段によって読み取った前記商品コードを前記ＬＡＮを介して前記店舗サーバに送信する商品コード送信手段と、
前記店舗サーバから前記ＬＡＮを介して送信される前記交換コードを受信したことに応答して、該交換コードを印刷した前記レシートを発行するレシート発行手段と、
を備える、
ことを特徴とする請求項４に記載のコンテンツ提供システム。
【請求項６】
前記コンテンツ提供サーバは、
前記引換コードを生成する引換コード生成手段と、
前記引換コード生成手段によって生成した前記引換コードを前記ネットワークを介して前記交換サーバに送信する第２引換コード送信手段と、
を更に備え、
前記交換サーバは、
前記第２引換コード送信手段によって送信された前記引換コードを受信する第２引換コード受信手段と、
前記第２引換コード受信手段によって受信した前記引換コードから前記交換コードを生成する交換コード生成手段と、
前記交換コード生成手段によって生成した前記交換コードを前記ネットワークを介して前記店舗サーバに送信する第２交換コード送信手段と、
を更に備え、
前記店舗サーバは、
前記第２交換コード送信手段によって前記ネットワークを介して送信された前記交換コードを受信する交換コード受信手段と、
前記交換コード受信手段によって受信した前記交換コードを記憶する交換コード記憶手段と、
前記商品コード送信手段によって送信される前記商品コードを受信する商品コード受信手段と、
前記商品コード受信手段によって前記商品コードを受信したことに応答して、前記交換コード記憶手段に記憶されている前記交換コードを前記ＬＡＮを介して前記キャッシュレジスタに送信する第３交換コード送信手段と、
を備える、
ことを特徴とする請求項５に記載のコンテンツ提供システム。
【請求項７】
通信端末が、コンテンツへの引換が可能な引換コードへの交換を要求する交換コードをネットワークを介して交換サーバに送信する交換コード送信ステップと、
前記交換サーバが、前記通信端末から前記ネットワークを介して送信される前記交換コードを受信したことに応答して、前記引換コードを前記ネットワークを介して前記通信端末に送信する引換コード送信ステップと、
前記通信端末が、前記引換コード送信ステップによって送信された前記引換コードを受信する引換コード受信ステップと、
前記通信端末が、前記引換コード受信ステップによって受信した前記引換コードを前記ネットワークを介してコンテンツ提供サーバに送信して、前記コンテンツの提供を該コンテンツ提供サーバに要求することにより、該コンテンツ提供サーバから該コンテンツを取得するコンテンツ取得ステップと、
を備えるコンテンツ提供方法。
【請求項８】
コンテンツへの引換が可能な引換コードへの交換を要求する交換コードをネットワークを介して交換サーバに送信することにより、該交換サーバから該引換コードを取得する引換コード取得手段と、
前記引換コード取得手段によって取得した前記引換コードを前記ネットワークを介してコンテンツ提供サーバに送信することにより、該コンテンツ提供サーバから該コンテンツを取得するコンテンツ取得手段と、
を備える通信端末。
【請求項９】
通信端末が、コンテンツへの引換が可能な引換コードへの交換を要求する交換コードをネットワークを介して交換サーバに送信することにより、該交換サーバから該引換コードを取得する引換コード取得ステップと、
前記通信端末が、前記引換コード取得ステップによって取得した前記引換コードを前記ネットワークを介してコンテンツ提供サーバに送信することにより、該コンテンツ提供サーバから該コンテンツを取得するコンテンツ取得ステップと、
を備えるコンテンツ取得方法。
【請求項１０】
コンピュータに、
コンテンツへの引換が可能な引換コードへの交換を要求する交換コードをネットワークを介して交換サーバに送信することにより、該交換サーバから該引換コードを取得する引換コード取得手順と、
前記引換コード取得手順によって取得した前記引換コードを前記ネットワークを介してコンテンツ提供サーバに送信することにより、該コンテンツ提供サーバから該コンテンツを取得するコンテンツ取得手順と、
を実行させるためのプログラム。
【発明の詳細な説明】
【技術分野】
【０００１】
本発明は、コンテンツ提供システム、コンテンツ提供方法、通信端末、コンテンツ取得方法、及びプログラムに関し、特に、適切な販売促進を可能とするコンテンツ提供システム、コンテンツ提供方法、通信端末、コンテンツ取得方法、及びプログラムに関する。
【背景技術】
【０００２】
従来から、菓子類、飲料水などの各種商品の販売を促進するため、商品に付された印刷物と携帯電話とを利用した販売促進方法が行われている（例えば特許文献１参照）。
【先行技術文献】
【特許文献】
【０００３】
【特許文献１】特開２０１０−１０８０５９号公報
【発明の概要】
【発明が解決しようとする課題】
【０００４】
しかしながら、従来の販売促進方法は、商品を購入することなく、小売店の棚に陳列されている商品の印刷物を携帯電話で読み取って応募等するといった不正が可能であるため、販売促進という目的を達成できない虞があった。
【０００５】
本発明は、上記の課題を解決するためになされたものであり、適切な販売促進を可能とするコンテンツ提供システム、コンテンツ提供方法、通信端末、コンテンツ取得方法、及びプログラムを提供することを目的とする。
【課題を解決するための手段】
【０００６】
上記目的を達成するため、本発明の第１の観点に係るコンテンツ提供システムは、
交換サーバと、コンテンツへの引換が可能な引換コードへの交換を要求する交換コードをネットワークを介して該交換サーバに送信する通信端末と、を具備し、
前記交換サーバは、
前記通信端末から前記ネットワークを介して送信される前記交換コードを受信したことに応答して、前記引換コードを前記ネットワークを介して前記通信端末に送信する第１引換コード送信手段を備え、
前記通信端末は、
前記第１引換コード送信手段によって送信された前記引換コードを受信する第１引換コード受信手段と、
前記第１引換コード受信手段によって受信した前記引換コードを前記ネットワークを介してコンテンツ提供サーバに送信して、前記コンテンツの提供を該コンテンツ提供サーバに要求することにより、該コンテンツ提供サーバから該コンテンツを取得するコンテンツ取得手段と、
を備える。
【０００７】
上記コンテンツ提供システムにおいて、
前記交換サーバは、
前記通信端末から前記ネットワークを介して送信される前記交換コードを受信したことに応答して、該交換コードが既に前記引換コードに交換されているか否かを判別する交換判別手段を更に備え、
前記第１引換コード送信手段は、
前記交換判別手段によって前記交換コードが未だ前記引換コードに交換されていないと判別した場合、該引換コードを前記ネットワークを介して前記通信端末に送信する、
ようにしてもよい。
【０００８】
上記コンテンツ提供システムにおいて、
前記コンテンツ提供サーバは、
前記通信端末から前記ネットワークを介して送信される前記引換コードを受信したことに応答して、前記コンテンツが既に提供されているか否かを判別する提供判別手段と、
前記提供判別手段によって前記コンテンツが未だ提供されていないと判別した場合、該コンテンツを前記ネットワークを介して前記通信端末に送信するコンテンツ送信手段と、
を備える、
ようにしてもよい。
【０００９】
上記コンテンツ提供システムにおいて、
前記交換コードを印刷したレシートを発行するキャッシュレジスタを更に具備し、
前記通信端末は、
商品に付与された二次元コードから前記交換サーバのＵＲＬ（Uniform Resource Locator）を読み取る二次元コード読取手段と、
前記二次元コード読取手段によって読み取った前記交換サーバのＵＲＬにアクセスした後、前記レシートに印刷された前記交換コードが入力されたことに応答して、該交換コードを前記ネットワークを介して前記交換サーバに送信する第１交換コード送信手段と、
を更に備える、
ようにしてもよい。
【００１０】
上記コンテンツ提供システムにおいて、
前記キャッシュレジスタからＬＡＮ（Local Area Network）を介して送信される前記商品を特定可能な商品コードを受信したことに応答して、前記交換コードを該ＬＡＮを介して該キャッシュレジスタに送信する店舗サーバを更に具備し、
前記キャッシュレジスタは、
前記商品に付与されたバーコードから前記商品コードを読み取るバーコード読取手段と、
前記バーコード読取手段によって読み取った前記商品コードを前記ＬＡＮを介して前記店舗サーバに送信する商品コード送信手段と、
前記店舗サーバから前記ＬＡＮを介して送信される前記交換コードを受信したことに応答して、該交換コードを印刷した前記レシートを発行するレシート発行手段と、
を備える、
ようにしてもよい。
【００１１】
上記コンテンツ提供システムにおいて、
前記コンテンツ提供サーバは、
前記引換コードを生成する引換コード生成手段と、
前記引換コード生成手段によって生成した前記引換コードを前記ネットワークを介して前記交換サーバに送信する第２引換コード送信手段と、
を更に備え、
前記交換サーバは、
前記第２引換コード送信手段によって送信された前記引換コードを受信する第２引換コード受信手段と、
前記第２引換コード受信手段によって受信した前記引換コードから前記交換コードを生成する交換コード生成手段と、
前記交換コード生成手段によって生成した前記交換コードを前記ネットワークを介して前記店舗サーバに送信する第２交換コード送信手段と、
を更に備え、
前記店舗サーバは、
前記第２交換コード送信手段によって前記ネットワークを介して送信された前記交換コードを受信する交換コード受信手段と、
前記交換コード受信手段によって受信した前記交換コードを記憶する交換コード記憶手段と、
前記商品コード送信手段によって送信される前記商品コードを受信する商品コード受信手段と、
前記商品コード受信手段によって前記商品コードを受信したことに応答して、前記交換コード記憶手段に記憶されている前記交換コードを前記ＬＡＮを介して前記キャッシュレジスタに送信する第３交換コード送信手段と、
を備える、
ようにしてもよい。
【００１２】
上記目的を達成するため、本発明の第２の観点に係るコンテンツ提供方法は、
通信端末が、コンテンツへの引換が可能な引換コードへの交換を要求する交換コードをネットワークを介して交換サーバに送信する交換コード送信ステップと、
前記交換サーバが、前記通信端末から前記ネットワークを介して送信される前記交換コードを受信したことに応答して、前記引換コードを前記ネットワークを介して前記通信端末に送信する引換コード送信ステップと、
前記通信端末が、前記引換コード送信ステップによって送信された前記引換コードを受信する引換コード受信ステップと、
前記通信端末が、前記引換コード受信ステップによって受信した前記引換コードを前記ネットワークを介してコンテンツ提供サーバに送信して、前記コンテンツの提供を該コンテンツ提供サーバに要求することにより、該コンテンツ提供サーバから該コンテンツを取得するコンテンツ取得ステップと、
を備える。
【００１３】
上記目的を達成するため、本発明の第３の観点に係る通信端末は、
コンテンツへの引換が可能な引換コードへの交換を要求する交換コードをネットワークを介して交換サーバに送信することにより、該交換サーバから該引換コードを取得する引換コード取得手段と、
前記引換コード取得手段によって取得した前記引換コードを前記ネットワークを介してコンテンツ提供サーバに送信することにより、該コンテンツ提供サーバから該コンテンツを取得するコンテンツ取得手段と、
を備える。
【００１４】
上記目的を達成するため、本発明の第４の観点に係るコンテンツ取得方法は、
通信端末が、コンテンツへの引換が可能な引換コードへの交換を要求する交換コードをネットワークを介して交換サーバに送信することにより、該交換サーバから該引換コードを取得する引換コード取得ステップと、
前記通信端末が、前記引換コード取得ステップによって取得した前記引換コードを前記ネットワークを介してコンテンツ提供サーバに送信することにより、該コンテンツ提供サーバから該コンテンツを取得するコンテンツ取得ステップと、
を備える。
【００１５】
上記目的を達成するため、本発明の第５の観点に係るプログラムは、
コンピュータに、
コンテンツへの引換が可能な引換コードへの交換を要求する交換コードをネットワークを介して交換サーバに送信することにより、該交換サーバから該引換コードを取得する引換コード取得手順と、
前記引換コード取得手順によって取得した前記引換コードを前記ネットワークを介してコンテンツ提供サーバに送信することにより、該コンテンツ提供サーバから該コンテンツを取得するコンテンツ取得手順と、
を実行させる。
【発明の効果】
【００１６】
本発明によれば、適切な販売促進を可能とするコンテンツ提供システム、コンテンツ提供方法、通信端末、コンテンツ取得方法、及びプログラムを提供することができる。
【図面の簡単な説明】
【００１７】
【図１】販売促進システムの構成例を示すブロック図である。
【図２】（ａ）は、ロゴ付き二次元コードの一例を示す平面図であり、（ｂ）は、二次元コードの一例を示す平面図である。
【図３】キャッシュレジスタの構成例を示すブロック図である。
【図４】ＰＯＳサーバの構成例を示すブロック図である。
【図５】（ａ）は、商品コードＤＢの構成例を示す図であり、（ｂ）は、交換コードＤＢの構成例を示す図である。
【図６】移動体通信端末の構成例を示すブロック図である。
【図７】（ａ）は、交換コード入力画面の表示例を示す図であり、（ｂ）は、引換コード入力画面の表示例を示す図である。
【図８】コード管理サーバの構成例を示すブロック図である。
【図９】交換コードＤＢの構成例を示す図である。
【図１０】コンテンツ提供サーバの構成例を示すブロック図である。
【図１１】引換コードＤＢの構成例を示す図である。
【図１２】レシート発行処理の一例を示すフローチャートである。
【図１３】レシート発行処理の一例を示すフローチャートである。
【図１４】コンテンツ提供処理の一例を示すフローチャートである。
【図１５】コンテンツ提供処理の一例を示すフローチャートである。
【発明を実施するための形態】
【００１８】
以下、本発明を実施するための形態について説明する。
【００１９】
まず、本実施形態に係る販売促進システムの構成について、図面を参照しつつ説明する。
【００２０】
図１は、販売促進システム１の構成例を示すブロック図である。
【００２１】
販売促進システム１は、図１に示すように、商品２と、レシート３と、キャッシュレジスタ２０と、ＰＯＳ（Point Of Sale）サーバ３０と、移動体通信端末４０と、コード管理サーバ５０と、コンテンツ提供サーバ６０と、から構成されている。
【００２２】
キャッシュレジスタ２０とＰＯＳサーバ３０とは、例えばＬＡＮ（Local Area Network）等を介して相互に通信可能に接続されている。また、ＰＯＳサーバ３０と移動体通信端末４０とコード管理サーバ５０とコンテンツ提供サーバ６０とは、例えばインターネット等のネットワーク７０を介して相互に接続されている。
【００２３】
販売店舗において販売される個々の商品には、商品を特定可能な商品コード等を示すバーコードが印刷あるいは貼り付けられている。このうち、販売促進の対象となっている商品２には、図１に示すように、ロゴ付き二次元コード１０が貼り付けられている。なお、ロゴ付き二次元コード１０は、販売店舗に商品２に提供する商品提供企業において添付されるが、販売店舗において添付されてもよい。
【００２４】
図２（ａ）は、ロゴ付き二次元コードの一例を示す平面図であり、図２（ｂ）は、二次元コードの一例を示す平面図である。
【００２５】
ロゴ付き二次元コード１０は、例えばシール状の印刷物であって、図２（ａ）に示すように、例えばＱＲ（Quick Response）コード（登録商標）等の二次元コード１１と、ユーザがその内容を視認可能なロゴと、を重ね合わせて形成されている。
【００２６】
二次元コード１１は、図２（ｂ）に示すように、特定比率の正方形を組み合わせた３つの位置決めシンボル１２ａ、１２ｂ、及び１２ｃを備え、この位置決めシンボル１２ａ、１２ｂ、及び１２ｃ間に、例えば複数の正方形のセルがマトリクス状に配置されている。
【００２７】
二次元コード１１では、複数のセルのうち、所定明度未満のセル（この例では黒）と、所定明度以上のセル（この例では白）と、の分布パターンによって、各種情報が表現される。
【００２８】
そして、図２（ａ）に示すロゴ付き二次元コード１０は、例えば「ダウンロード」といった文字を視認可能に表現するロゴのうち所定明度以上の領域に、所定明度未満の円形のセル（この例では黒色のセル）を重ね合わせる一方で、ロゴのうち所定明度未満の領域に、所定明度以上の円形のセル（この例では白色のセル）を重ね合わせて形成される。
【００２９】
ロゴ付き二次元コード１０では、ロゴのうち所定明度未満の領域及び所定明度未満のセルと、ロゴのうち所定明度以上の領域及び所定明度以上のセルと、の分布パターンによって、コード管理サーバ５０のＵＲＬ（Uniform Resource Locator）等の各種情報が表現される。
【００３０】
なお、ロゴ付き二次元コード１０におけるセルの形状は、任意であり、本実施形態のように、円形であってもよいし、多角形や星形等であってもよい。
【００３１】
図１に示すキャッシュレジスタ２０は、例えば汎用キャッシュレジスタ等から構成され、販売店舗等に設置されている。
【００３２】
図３は、キャッシュレジスタの構成例を示すブロック図である。
【００３３】
キャッシュレジスタ２０は、図３に示すように、読取部２１と、通信部２２と、入力部２３と、表示部２４と、印刷部２５と、制御部２６と、を備え、これらはバスを介して相互に通信可能に接続されている。
【００３４】
読取部２１は、例えば汎用バーコードリーダ等から構成され、商品に印刷あるいは貼り付けられたバーコードから商品コード等を読み取る。
【００３５】
通信部２２は、例えばＮＩＣ（Network Interface Card）等の通信装置を含んで構成され、読取部２１において読み取った商品コード等をＬＡＮを介してＰＯＳサーバ３０に送信する。また、通信部２２は、ＰＯＳサーバ３０からＬＡＮを介して送信される商品の価格や、例えば９桁の英数字から構成される交換コード等を受信する。
【００３６】
入力部２３は、販売店舗の販売店員等によって操作されるもので、例えば数字や文字を入力するための英数字ボタンや、小計キー、合計キー等から構成されている。販売店員は、入力部２３を操作して、商品の個数や預り金額等を入力したり、合計金額の算出やレシートの発行を指示したりする。
【００３７】
表示部２４は、例えばＬＣＤ（Liquid Crystal Display）等から構成され、制御部２６による制御の下、個々の商品の価格や合計金額等を表示する。
【００３８】
印刷部２５は、例えば汎用プリンタ等から構成され、個々の商品の価格や合計金額等を印刷したレシートを発行する。本実施形態において、販売促進の対象となる商品２を含むレシート３には、図１に示すように、商品２の価格や合計金額等の他に、通信部２２において受信した交換コード（図１に示す例では「ＡＢＣＤ１２３４６７」）が印刷されている。
【００３９】
図３に示す制御部２６は、例えばＣＰＵ（Central Processing Unit）、ＲＯＭ（Read Only Memory）、及びＲＡＭ（Random Access Memory）等から構成され、ＣＰＵが、ＲＡＭをワークメモリとして用い、ＲＯＭ等に記憶されている各種プログラムを適宜実行することによって、キャッシュレジスタ２０の各部の動作を制御する。
【００４０】
図１に示すＰＯＳサーバ３０は、例えばフレームワークやワークステーション等から構成され、販売店舗等に設置されている。
【００４１】
図４は、ＰＯＳサーバの構成例を示すブロック図である。
【００４２】
ＰＯＳサーバ３０は、図４に示すように、通信部３１と、記憶部３２と、制御部３３と、を備え、これらはバスを介して相互に通信可能に接続されている。
【００４３】
通信部３１は、例えばＮＩＣ等の通信装置を含んで構成され、キャッシュレジスタ２０からＬＡＮを介して送信される商品コード等を受信したり、商品コードから特定される商品の価格や、商品コードに対応する交換コード等をＬＡＮを介してキャッシュレジスタ２０に送信したりする。また、通信部３１は、コード管理サーバ５０からネットワーク７０を介して送信された所定数の交換コードを受信する。
【００４４】
記憶部３２は、例えばハードディスクドライブ等から構成され、商品コードＤＢ（Data Base）３２０と、交換コードＤＢ３２１と、を備えている。
【００４５】
図５（ａ）は、商品コードＤＢの構成例を示す図である。
【００４６】
商品コードＤＢ３２０は、図５（ａ）に示すように、商品コードと、価格と、交換コードカウンタと、販売促進フラグと、を対応付けて記憶する。
【００４７】
交換コードカウンタは、通信部３１において所定数の交換コードを受信したときに、所定数に対応するカウント初期値がセットされ、交換コードが、通信部３１からＬＡＮを介してキャッシュレジスタ２０に送信される毎に、その値が１減算されて更新される。
【００４８】
販売促進フラグは、商品コードによって特定される商品が販売促進の対象である場合、すなわち、ロゴ付き二次元コード１０が貼り付けられた商品２である場合に、オン状態にセットされ、交換コードカウンタにおけるカウント値（交換コードカウント値）が「０」になったときに、クリアされてオフ状態となる。
【００４９】
図５（ｂ）は、交換コードＤＢの構成例を示す図である。
【００５０】
交換コードＤＢ３２１は、図５（ｂ）に示すように、通信部３１において受信した所定数の交換コードと、使用済フラグと、を対応付けて記憶する。
【００５１】
使用済フラグは、交換コードＤＢ３２１において対応付けて記憶されている交換コードが通信部３１からＬＡＮを介してキャッシュレジスタ２０に送信されるときに、オン状態にセットされる。
【００５２】
図４に示す制御部３３は、例えばＣＰＵ、ＲＯＭ、及びＲＡＭ等から構成され、ＣＰＵが、ＲＡＭをワークメモリとして用い、ＲＯＭや記憶部３２等に記憶されている各種プログラムを適宜実行することによって、ＰＯＳサーバ３０の各部の動作を制御する。
【００５３】
本実施形態において、制御部３３は、コード管理サーバ５０からネットワーク７０を介して送信される所定数の交換コードを通信部３１において受信する。そして、制御部３３は、通信部３１において受信した所定数の交換コードを図５（ｂ）に示す交換コードＤＢ３２１に記憶するとともに、交換コードに対応する使用済フラグをクリアしてオフ状態にする。
【００５４】
図１に示す移動体通信端末４０は、例えば汎用スマートフォンや、汎用タブレットコンピュータ、汎用携帯電話等から構成され、商品２の購入者によって操作される。
【００５５】
図６は、移動体通信端末の構成例を示すブロック図である。
【００５６】
移動体通信端末４０は、図６に示すように、読取部４１と、表示部４２と、記憶部４３と、操作部４４と、通信部４５と、制御部４６と、を備え、これらは、バスを介して相互に接続されている。
【００５７】
読取部４１は、例えば汎用の二次元コードリーダ等から構成され、ロゴ付き二次元コード１０を、例えばＣＣＤ（Charge-Coupled Device）等の撮像素子を用いて撮像し、撮像により得られた画像から、ロゴ付き二次元コード１０が示すコード管理サーバ５０のＵＲＬ等の各種情報を読み取って制御部４６に供給する。
【００５８】
具体的に、読取部４１は、図２（ａ）に示すロゴ付き二次元コード１０において、ロゴのうち所定明度未満の領域及び所定明度未満のセルを「０」と認識する一方で、ロゴのうち所定明度以上の領域及び所定明度以上のセルを「１」と認識する。
【００５９】
そして、読取部４１は、このようにして認識した「０」と「１」とからなる二値データの分布パターンから、コード管理サーバ５０のＵＲＬ等の各種情報を読み取る。
【００６０】
図６に示す表示部４２は、例えばＬＣＤ等から構成され、制御部４６による制御の下、読取部４１によって撮像した画像をスルー画像として表示したり、読取部４１にて読み取ったコード管理サーバ５０のＵＲＬを表示したりする。また、表示部４２は、例えば図７（ａ）に示す交換コード入力画面や、図７（ｂ）に示す引換コード入力画面等を表示する。
【００６１】
図６に示す記憶部４３は、例えば不揮発性メモリ等から構成され、コンテンツ提供サーバ６０からネットワーク７０を介してダウンロードしたゲームアプリケーション等のコンテンツを保存する。
【００６２】
操作部４４は、購入者等によって操作されるもので、例えば十字カーソルキーや、数字や文字を入力するための英数字ボタン等から構成されている。購入者は、操作部４４を操作して、読取部４１によるＵＲＬの読取や、読み取ったＵＲＬへのアクセスを指示したり、図７（ａ）に示す交換コード入力画面において交換コードを入力したり、図７（ｂ）に示す引換コード入力画面において引換コードを入力したりする。
【００６３】
図６に示す通信部４５は、例えば無線通信装置等から構成され、制御部４６による制御の下、交換コード等をネットワーク７０を介してコード管理サーバ５０に送信したり、コード管理サーバ５０からネットワーク７０を介して送信される引換コード等を受信したりする。また、通信部４５は、引換コード等をネットワーク７０を介してコンテンツ提供サーバ６０を送信したり、コンテンツ提供サーバ６０からネットワーク７０を介してコンテンツ等をダウンロードして受信したりする。
【００６４】
制御部４６は、例えばＣＰＵ、ＲＯＭ、及びＲＡＭ等から構成され、ＣＰＵが、ＲＡＭをワークメモリとして用い、ＲＯＭや記憶部４３等に記憶されている各種プログラムを適宜実行することによって、移動体通信端末４０の各部の動作を制御する。
【００６５】
図１に示すコード管理サーバ５０は、例えばフレームワークやワークステーション等から構成されている。
【００６６】
図８は、コード管理サーバの構成例を示すブロック図である。
【００６７】
コード管理サーバ５０は、図８に示すように、通信部５１と、記憶部５２と、制御部５３と、を備え、これらは、バスを介して相互に接続されている。
【００６８】
通信部５１は、例えばＮＩＣ等の通信装置を含んで構成され、コンテンツ提供サーバ６０からネットワーク７０を介して送信される所定数の引換コード等を受信したり、交換コード等をネットワーク７０を介してＰＯＳサーバ３０に送信したりする。また、通信部５１は、移動体通信端末４０からネットワーク７０を介して送信される交換コード等を受信したり、引換コード等をネットワーク７０を介して移動体通信端末５０に送信したりする。
【００６９】
記憶部５２は、例えばハードディスクドライブ等から構成され、コード管理ＤＢ５２０を備えている。
【００７０】
図９は、コード管理ＤＢの構成例を示す図である。
【００７１】
コード管理ＤＢ５２０は、図９に示すように、交換コードと、引換コードと、交換済フラグと、を対応付けて記憶する。
【００７２】
交換済フラグは、コード管理ＤＢ５２０において対応付けられて記憶されている引換コードが、通信部５１からネットワーク７０を介して移動体通信端末４０に送信されるときに、オン状態にセットされる。
【００７３】
図８に示す制御部５３は、例えばＣＰＵ、ＲＯＭ、及びＲＡＭ等から構成されている。ＣＰＵは、ＲＡＭをワークメモリとして用い、ＲＯＭや記憶部５２等に記憶されている各種プログラムを適宜実行することによって、コード管理サーバ５０の各部の動作を制御する。
【００７４】
本実施形態において、制御部５３は、コンテンツ提供サーバ６０からネットワーク７０を介して送信される所定数の引換コードを通信部５１において受信したことに応答して、各引換コードに対応する交換コードを所定数生成する。なお、交換コードは、ＰＯＳサーバ３０のシステム仕様に従って生成されるのが好ましい。制御部５３は、通信部５１において受信した引換コードと、各引換コードから生成した交換コードと、を対応付けて図９に示すコード管理ＤＢ５２０に記憶するとともに、引換コード及び交換コードに対応する交換済フラグをクリアしてオフ状態にする。そして、制御部５３は、生成した所定数の交換コードを通信部５１からネットワーク７０を介してＰＯＳサーバ３０に送信する。
【００７５】
図１に示すコンテンツ提供サーバ６０は、ゲームアプリケーション等のコンテンツを提供するコンテンツ提供企業等に設置され、例えばフレームワークやワークステーション等から構成されている。
【００７６】
図１０は、コンテンツ提供サーバの構成例を示すブロック図である。
【００７７】
コンテンツ提供サーバ６０は、図１０に示すように、通信部６１と、記憶部６２と、制御部６３と、を備え、これらは、バスを介して相互に接続されている。
【００７８】
通信部６１は、例えばＮＩＣなどの通信装置を含んで構成され、所定数の引換コード等をネットワーク７０を介してコード管理サーバ５０に送信する。また、通信部６１は、移動体通信端末４０からネットワーク７０を介して送信される引換コード等を受信したり、ゲームアプリケーション等のコンテンツをネットワーク７０を介して移動体通信端末４０に送信したりする。
【００７９】
記憶部６２は、例えばハードディスクドライブなどから構成され、ゲームアプリケーション等のコンテンツを保存している。また、記憶部６２は、引換コードＤＢ６２０を備えている。
【００８０】
図１１は、引換コードＤＢの構成例を示すブロック図である。
【００８１】
引換コードＤＢ６２０は、図１１に示すように、引換コードと、提供済フラグと、を対応付けて記憶する。
【００８２】
提供済フラグは、引換コードＤＢ６２０において対応付けて記憶されている引換コードを通信部６１において受信したときに、オン状態にセットされる。
【００８３】
図１０に示す制御部６３は、例えばＣＰＵ、ＲＯＭ、及びＲＡＭ等から構成されている。ＣＰＵは、ＲＡＭをワークメモリとして用い、ＲＯＭや記憶部６２等に記憶されている各種プログラムを適宜実行することによって、コンテンツ提供サーバ６０の各部の動作を制御する。
【００８４】
本実施形態において、制御部６３は、所定数の引換コードを生成し、引換コードを図１１に示す引換コードＤＢ６２０に記憶するとともに、引換コードに対応する提供済フラグをクリアしてオフ状態にする。なお、引換コードは、コンテンツ提供サーバ６０のシステム仕様に従って生成されるが好ましい。そして、制御部６３は、生成した所定数の引換コードを通信部６１からネットワーク７０を介してコード管理サーバ５０に送信する。
【００８５】
次に、上記構成を備える販売促進システム１が実行する各種処理について図面を参照しつつ説明する。
【００８６】
図１に示すキャッシュレジスタ２０が読取部２１によって商品に印刷あるいは貼り付けられたバーコードから商品コードを読み取ると、販売促進システム１は、レシート発行処理を開始する。
【００８７】
図１２及び図１３は、レシート発行処理の一例を示すフローチャートである。
【００８８】
レシート発行処理において、キャッシュレジスタ２０の制御部２６は、図１２に示すように、まず、読取部２１において読み取った商品コードを通信部２２からＬＡＮを介してＰＯＳサーバ３０に送信する（ステップＳ１）。
【００８９】
ＰＯＳサーバ３０では、制御部３３が、通信部３１において、キャッシュレジスタ２０からＬＡＮを介して送信される商品コードを受信したことに応答して（ステップＳ２）、商品コードに対応する価格を商品コードＤＢ３２０から検出することにより、商品の価格を特定する（ステップＳ３）。
【００９０】
また、制御部３３は、商品コードＤＢ３２０において、受信した商品コードに対応して記憶されている販売促進フラグがオン状態となっているか否かを判別する（ステップＳ４）。
【００９１】
販売促進フラグがオフ状態であると判別した場合（ステップＳ４；Ｎｏ）、制御部３３は、ステップＳ３の処理において特定した商品の価格を通信部３１からＬＡＮを介してキャッシュレジスタ２０に送信する（ステップＳ５）。
【００９２】
キャッシュレジスタ２０では、制御部２６が、通信部２２において、ＰＯＳサーバ３０からＬＡＮを介して送信される商品の価格を受信する（ステップＳ６）。
【００９３】
これに対して、販売促進フラグがオン状態であると判別した場合（ステップＳ４；Ｙｅｓ）、制御部３３は、交換コードＤＢ３２１において、対応する使用済みフラグがオフ状態となっている交換コードのうちのいずれかを選択するとともに（ステップＳ７）、選択した交換コードに対応する使用済フラグをオン状態にセットする（ステップＳ８）。
【００９４】
また、制御部３３は、商品コードＤＢ３２０において、受信した商品コードに対応して記憶されている交換コードカウンタにおけるカウント値（交換コードカウント値）を１減算して更新するとともに（ステップＳ９）、更新後の交換コードカウント値が「０」であるか否かを判別する（ステップＳ１０）。
【００９５】
更新後の交換コードカウント値が「０」である場合（ステップＳ１０；Ｙｅｓ）、制御部３３は、商品コードＤＢ３２０において、受信した商品コードに対応して記憶されている販売促進フラグをクリアしてオフ状態にする（ステップＳ１１）。
【００９６】
これに対して、更新後の交換コードカウント値が「０」でない場合（ステップＳ１０；Ｎｏ）、制御部３３は、ステップＳ１１の処理をスキップする。
【００９７】
そして、制御部３３は、ステップＳ３の処理において特定した商品２の価格と、ステップＳ７の処理において選択した交換コードと、を通信部３１からＬＡＮを介してキャッシュレジスタ２０に送信する（ステップＳ１２）。
【００９８】
キャッシュレジスタ２０では、制御部２６が、図１３に示すように、通信部２２において、ＰＯＳサーバ３０からＬＡＮを介して送信される商品２の価格と交換コードとを受信する（ステップＳ１３）。
【００９９】
その後、制御部２６は、販売店員によって入力部２３の小計キーが押下されたか否かを判別し（ステップＳ１４）、小計キーが押下されたと判別した場合には（ステップＳ１４；Ｙｅｓ）、合計金額を算出して表示部２４に表示する（ステップＳ１５）。
【０１００】
続いて、制御部２６は、販売店員による入力部２３の操作によって預り金額が入力された後、入力部２３の合計キーが押下されたか否かを判別する（ステップＳ１６）。
【０１０１】
そして、入力部２３の合計キーが押下されたと判別した場合（ステップＳ１６；Ｙｅｓ）、制御部２６は、印刷部２５においてレシートを発行してから（ステップＳ１７）、レシート発行処理を終了する。
【０１０２】
本実施形態において、制御部２６は、通信部２２において商品の価格のみを受信した場合、個々の商品の価格や合計金額等を印刷したレシートを発行する一方で、商品２の価格に加えて交換コードを受信した場合、個々の商品の価格や合計金額等の他に交換コードを印刷したレシート３を発行する。
【０１０３】
次に、購入者が図１に示す移動体通信端末４０の操作部４４を操作して、読取部４１が購入した商品２に貼り付けられているロゴ付き二次元コード１０が示すコード管理サーバ５０のＵＲＬを読み取ると、表示部４２は、読み取ったコード管理サーバ５０のＵＲＬを表示する。そして、購入者による操作部４４の操作によって、表示部４２に表示されたコード管理サーバ５０のＵＲＬへのアクセスが指示されると、販売促進システム１は、コンテンツ提供処理を実行する。
【０１０４】
図１４及び図１５は、コンテンツ提供処理の一例を示すフローチャートである。
【０１０５】
コンテンツ提供処理において、移動体通信端末４０の制御部４６は、図１４に示すように、まず、読取部２１において読み取ったコード管理サーバ５０のＵＲＬにアクセスして、図７（ａ）に示す交換コード入力画面を表示部４２に表示する（ステップＳ２１）。
【０１０６】
なお、コード管理サーバ５０のＵＲＬにアクセスしたときに、まず、所定のログイン画面を表示部４２に表示し、ログイン画面においてメールアドレス等のログインＩＤ（Identification）及びパスワードが入力されたことに応答して、交換コード入力画面を表示部４２に表示するようにしてもよい。このようにすれば、交換コードを複数有する場合、交換コード入力画面において複数の交換コードの全てを入力することができる。
【０１０７】
次に、制御部４６は、購入者による操作部４４の操作によって交換コード入力画面において、レシート３に印刷されている交換コードが入力されたか否かを判別する（ステップＳ２２）。
【０１０８】
交換コードが入力されたと判別した場合（ステップＳ２２；Ｙｅｓ）、制御部４６は、入力された交換コードを通信部４５からネットワーク７０を介してコード管理サーバ５０に送信する（ステップＳ２３）。
【０１０９】
コード管理サーバ５０では、制御部５３が、移動体通信端末４０からネットワーク７０を介して送信された交換コードを通信部５１において受信したことに応答して（ステップＳ２４）、コード管理ＤＢ５２０において、受信した交換コードに対応して記憶されている交換済フラグがオン状態となっているか否かを判別する（ステップＳ２５）。
【０１１０】
交換済フラグがオン状態となっていると判別した場合（ステップＳ２５；Ｙｅｓ）、制御部５３は、交換コードが既に引換コードに交換されている旨を示す交換済通知を通信部５１からネットワーク７０を介して移動体通信端末４０に送信する（ステップＳ２６）。
【０１１１】
移動体通信端末４０では、制御部４６が、コード管理サーバ５０からネットワーク７０を介して送信された交換済通知を通信部４５において受信したことに応答して（ステップＳ２７）、交換コードが既に引換コードに交換されている旨を示す交換済通知画面を表示部４２に表示してから（ステップＳ２８）、コンテンツ提供処理を終了する。
【０１１２】
これに対して、交換済フラグがオフ状態となっていると判別した場合（ステップＳ２５；Ｙｅｓ）、制御部５３は、コード管理ＤＢ５２０において、受信した交換コードに対応して記憶されている引換コードを検出するとともに（ステップＳ２９）、交換済フラグをオン状態にセットする（ステップＳ３０）
【０１１３】
そして、制御部５３は、ステップＳ２９の処理において検出した引換コードと、コンテンツ提供サーバ６０のＵＲＬと、を通信部５１からネットワーク７０を介して移動体通信端末４０に送信する（ステップＳ３１）。
【０１１４】
移動体通信端末４０では、制御部４６が、コード管理サーバ５０からネットワーク７０を介して送信される引換コードとコンテンツ提供サーバ６０のＵＲＬとを通信部４５において受信したことに応答して（ステップＳ３２）、受信した引換コードとコンテンツ提供サーバ６０のＵＲＬとを表示部４２に表示する（ステップＳ３３）。このとき、購入者は、操作部４４を操作して、表示部４２に表示される引換コードをコピーすればよい。
【０１１５】
次に、制御部４６は、図１５に示すように、購入者による操作部４４の操作によって、表示部４２に表示されたコンテンツ提供サーバ６０のＵＲＬへのアクセスが指示されたか否かを判別する（ステップＳ３４）。
【０１１６】
そして、コンテンツ提供サーバ６０のＵＲＬへのアクセスが指示されたと判別した場合（ステップＳ３４；Ｙｅｓ）、制御部４６は、コンテンツ提供サーバ６０のＵＲＬにアクセスして、図７（ｂ）に示す引換コード入力画面を表示部４２に表示する（ステップＳ３５）。
【０１１７】
なお、コンテンツ提供サーバ６０のＵＲＬにアクセスしたときに、まず、所定のログイン画面を表示部４２に表示し、ログイン画面においてメールアドレス等のログインＩＤ及びパスワードが入力されたことに応答して、引換コード入力画面を表示部４２に表示するようにしてもよい。このようにすれば、引換コード入力画面において引換コードを入力する前に、引換コード入力画面を閉じてしまった場合でも、ログインして引換コード入力画面を再度表示することにより、引換コード入力画面において引換コードを入力することができる。
【０１１８】
また、コンテンツ提供サーバ６０のＵＲＬへのアクセスをリダイレクト式にしておき、アクセス数に応じてコンテンツ提供サーバ６０に課金されていくようにしてもよい。
【０１１９】
次に、制御部４６は、購入者による操作部４４の操作によって引換コード入力画面において、コピーされた引換コードがペーストされる等して入力されたか否かを判別する（ステップＳ３６）。
【０１２０】
引換コードが入力されたと判別した場合（ステップＳ３６；Ｙｅｓ）、制御部４６は、入力された引換コードを通信部４５からネットワーク７０を介してコンテンツ提供サーバ６０に送信する（ステップＳ３７）。
【０１２１】
コンテンツ提供サーバ６０では、制御部６３が、移動体通信端末４０からネットワーク７０を介して送信された引換コードを通信部６１において受信したことに応答して（ステップＳ３８）、引換コードＤＢ６２０において、受信した引換コードに対応して記憶されている提供済フラグがオン状態となっているか否かを判別する（ステップＳ３９）。
【０１２２】
提供済フラグがオン状態となっていると判別した場合（ステップＳ３９；Ｙｅｓ）、制御部６３は、コンテンツが既に提供されている旨を示す提供済通知を通信部６１からネットワーク７０を介して移動体通信端末４０に送信する（ステップＳ４０）。
【０１２３】
移動体通信端末４０では、制御部４６が、コンテンツ提供サーバ６０からネットワーク７０を介して送信される提供済通知を通信部４５において受信したことに応答して（ステップＳ４１）、コンテンツが既に提供されている旨を通知する提供済通知画面を表示部４２に表示してから（ステップＳ４２）、コンテンツ提供処理を終了する。
【０１２４】
これに対して、提供済フラグがオフ状態となっていると判別した場合（ステップＳ３９；Ｙｅｓ）、制御部６３は、提供済フラグをオン状態にセットするとともに（ステップＳ４３）、記憶部６２に保存されているゲームアプリケーション等のコンテンツを通信部６１からネットワーク７０を介して移動体通信端末４０に送信する（ステップＳ４４）。
【０１２５】
なお、アクセス数ではなく、コンテンツの提供数に応じてコンテンツ提供サーバ６０に課金されていくようにしてもよい。また、制御部６３は、コンテンツを移動体通信端末４０に送信したときに、コンテンツを提供した旨を示す提供完了通知を通信部６１からネットワーク７０を介してコード管理サーバ５０に送信するようにしてもよい。
【０１２６】
移動体通信端末４０では、制御部４６が、コンテンツ提供サーバ６０からネットワーク７０を介して送信されるゲームアプリケーション等のコンテンツを受信して（ステップＳ４５）、記憶部４３に保存してから（ステップＳ４６）、コンテンツ提供処理を終了する。
【０１２７】
以上説明したように、本実施形態に係る販売促進システム１では、コンテンツを取得するには、引換コードを入手しなければならず、そのためには、商品２に付与されたロゴ付き二次元コード１０だけでなく、商品２を購入した際に発行されるレシート３に印刷された交換コードも必要となる。これにより、販売促進システム１では、商品２を購入していないにも関わらず、商品２に付与されたロゴ付き二次元コード１０だけを読み取って、コンテンツを取得するといった不正を効果的に防止することができ、商品２の適切な販売促進が可能となる。
【０１２８】
また、商品提供企業や販売店舗の判断の下、余り売れ行きの良くない商品２等にロゴ付き二次元コード１０を付与することにより、ゲームアプリケーション等のコンテンツを武器に、商品２の適切な販売促進を可能にして、売上の向上等を図ることができるとともに、販売店舗においては来店の促進を図ることができる。
【０１２９】
さらに、コンテンツ提供企業においては、販売店舗で販売されている商品２を通じて、ゲームアプリケーション等のコンテンツを提供することにより、今までコンテンツに接する機会の無かった購入者にもコンテンツの興味を持たせることができるため、新規顧客の開拓を図ることができる。
【０１３０】
この結果、販売促進システム１によれば、ロゴ付き二次元コード１０を通じて、今まで何ら関係性の無かった商品２とコンテンツとをマッチングさせて、販売店舗、商品提供企業、及びコンテンツ提供企業の全ての利益を相乗的に向上させることができる。
【０１３１】
なお、本発明は、上記実施形態に限定されず、種々の変形、応用が可能である。以下、本発明に適用可能な上記実施形態の変形態様について、説明する。
【０１３２】
上記実施形態では、二次元コード１１とユーザがその内容を視認可能なロゴとを重ね合わせて形成されるシール状の印刷物であるロゴ付き二次元コード１０が商品に添付されているものとして説明した。しかしながら、本発明はこれに限定されるものではなく、ロゴと重ね合わされていない二次元コード１１であっても構わない。
【０１３３】
また、上記実施形態では、ロゴ付き二次元コード１０が、その内容を視認可能に表現するロゴのうち所定明度以上の領域に、所定明度未満の円形のセル（この例では黒色のセル）を重ね合わせる一方で、ロゴのうち所定明度未満の領域に、所定明度以上の円形のセル（この例では白色のセル）を重ね合わせて形成されるものとして説明した。しかしながら、この発明はこれに限定されるものではなく、その内容を視認可能に表現するロゴのうち所定明度未満の領域に、所定明度以上のセル（例えば白色のセル）を重ね合わせて形成されるものであってもよい。
【０１３４】
さらに、上記実施の形態では、二次元コードがＱＲコード（登録商標）であるものとして説明したが、本発明はこれに限定されるものではなく、二次元コード１１は、データマトリクスや、アズテックコード、コードワン、アレイタグ、ボックス図形コード、マキシコード、ペリコード、ソフトストリップ、ＣＰコード、カルラコード、ウルトラコードなどといった他のマトリクス式の二次元コードであってもよい。あるいは、ＰＤＦ４１７、コード４９、コード１６ｋ、コーダブロックなどといった一次元コードを縦に積み重ねたスタック式の二次元コードであっても構わない。
【０１３５】
また、上記実施形態において、ＣＰＵが実行するプログラムは、予めＲＯＭや記憶部３２、４３、５２、及び６２等に記憶されるものとして説明したが、本発明はこれに限定されるものではなく、上述の処理を実行させるためのプログラムを、既存の汎用コンピュータ等に適用することで、上記実施形態に係るキャッシュレジスタ２０や、ＰＯＳサーバ３０、移動体通信端末４０、コード管理サーバ５０、コンテンツ提供サーバ６０として機能させてもよい。
【０１３６】
このようなプログラムの提供方法は任意であり、例えばコンピュータが読取可能な記録媒体（フレキシブルディスク、ＣＤ（Compact Disc）−ＲＯＭ、ＤＶＤ（Digital Versatile Disc）−ＲＯＭ等）に格納して配布してもよいし、インターネット等のネットワーク上のストレージにプログラムを格納しておき、これをダウンロードさせることにより提供してもよい。
【０１３７】
さらに、上記の処理をＯＳとアプリケーションプログラムとの分担、又はＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（ＢＢＳ：Bulletin Board System）に上記プログラムを掲示し、ネットワークを介してプログラムを配信してもよい。そして、このプログラムを起動し、ＯＳの制御下で、他のアプリケーションプログラムと同様に実行することにより、上記の処理を実行できるように構成してもよい。
【符号の説明】
【０１３８】
１  販売促進システム
２  商品
３  レシート
１０  ロゴ付き二次元コード
１１  二次元コード
２０  キャッシュレジスタ
２１  読取部
２２  通信部
２３  入力部
２４  表示部
２５  印刷部
２６  制御部
３０  ＰＯＳサーバ
３１  通信部
３２  記憶部
３３  制御部
４０  移動体通信端末
４１  読取部
４２  表示部
４３  記憶部
４４  操作部
４５  通信部
４６  制御部
５０  コード管理サーバ
５１  通信部
５２  記憶部
５３  制御部
６０  コンテンツ提供サーバ
６１  通信部
６２  記憶部
６３  制御部
３２０  商品コードＤＢ
３２１  交換コードＤＢ
５２０  コード管理ＤＢ
６２０  引換コードＤＢ
【図３】
0005945299.tif 000002
【図４】
0005945299.tif 000003
【図５】
0005945299.tif 000004
【図６】
0005945299.tif 000005
【図７】
0005945299.tif 000006
【図８】
0005945299.tif 000007
【図９】
0005945299.tif 000008
【図１０】
0005945299.tif 000009
【図１１】
0005945299.tif 000010
【図１２】
0005945299.tif 000011
【図１３】
0005945299.tif 000012
【図１４】
0005945299.tif 000013
【図１５】
0005945299.tif 000014
【図１】
0005945299.tif 000015
【図２】
0005945299.tif 000016